(57)【特許請求の範囲】
【請求項１】
絶縁ハウジング及び該絶縁ハウジングの中に並置した複数のストリップコンタクトを有し、携帯電話に組み込むための電話内コネクタと、前記ストリップコンタクトに電気的に接続するための、前記電話内コネクタと嵌合する複数の相補形コネクタとを具備し、前記ストリップコンタクトは、前記相補形コネクタのコンタクトを受容するための頂部接触面とプリント板と接触する接続部を有し、前記相補形コネクタのコンタクトは、非常に柔軟な蛇行したばね部を有して前記相補形コネクタの位置の公差を補償する為の大きな変位量を可能とし、前記コンタクトを損傷から保護する携帯電話接続システムにおいて、
前記電話内コネクタの並置された前記ストリップコンタクトは、電力、データ及び信号用コンタクトを有し、
前記複数の相補形コネクタの一つは、ハウジングに取り付けられ弾性的に変位可能な前記コンタクトを有するクレードルコネクタであり、
前記携帯電話接続システムは、前記クレードルコネクタ及び他の前記相補形コネクタの挿入を可能とするラッチ手段を有し、
該ラッチ手段は、前記電話内コネクタの異なる位置に異なる前記相補形コネクタをラッチ止めする、前記電話内コネクタの複数のラッチ位置を有することを特徴とする携帯電話接続システム。
【請求項２】
前記クレードルコネクタの前記コンタクトは、略平板状の金属板から打ち抜かれることを特徴とする請求項１記載の携帯電話接続システム。
【請求項３】
前記クレードルコネクタは、該クレードルコネクタを前記電話内コネクタに保持する為のラッチを設け、該ラッチは前記クレードルコネクタの前記コンタクトの先端を越えて延び確実に該先端を保護することを特徴とする請求項１又は２記載の携帯電話接続システム。
【請求項４】
前記クレードルコネクタの前記コンタクトは、該コンタクトの柔軟性により前記ばね部に損傷を受ける事なく前記クレードルコネクタのハウジング内に十分変位されて、外部の物体が前記コンタクトに当接した場合であっても過応力によって損傷を受けることがないことを特徴とする請求項１乃至３のいずれか１項記載の携帯電話接続システム。
【請求項５】
前記ストリップコンタクトの前記接続部は、電話のプリント板に対し、自由端近傍に設けられた接触凸部を変位させる弾性接触アームを含むことを特徴とする請求項１乃至４のいずれか１項記載の携帯電話接続システム。
【請求項６】
前記電話内コネクタの前記相手方のストリップ状コンタクトと係合する前記クレードルコネクタの前記コンタクトの接触部は、該接触部の長さに沿ってエンボス加工され横方向の折り曲げ力に対し剛性を増大させたことを特徴とする請求項１乃至５のいずれか１項記載の携帯電話接続システム。
【請求項７】
前記クレードルコネクタ（２３０、２３０'）は、複数のクレードルコンタクト（２３４）を相互接続する短絡バー（２３５）を有し、静電気による放電から保護することを特徴とする請求項１乃至６のいずれか１項記載の携帯電話接続システム。
【請求項８】
前記クレードルコンタクト（２３４）は、延長部（２３９）、隣接する接触部（２３８）を有し、前記接触部は前記電話内コネクタの前記コンタクトストリップ（２０６）に当接し、前記延長部（２３９）は前記短絡バー（２３５）に当接することを特徴とする請求項７記載の携帯電話接続システム。
【請求項９】
前記短絡バーは、金属板から打ち抜かれたストリップであることを特徴とする請求項７又は８記載の携帯電話接続システム。
【請求項１０】
前記クレードルコネクタは、隣接する前記電力用コンタクト、或いは信号用コンタクト（２５９）より更に延びて、最初に接続し最後に非接続となる接地コンタクト（２５７）を有することを特徴とする請求項７、８又は９記載の携帯電話接続システム。
【請求項１１】
前記接地コンタクト（２５７）は、隣接する前記信号コンタクトと同じであることを特徴とする請求項１０記載の携帯電話接続システム。
【請求項１２】
前記短絡バー（２３５）は、前記接地コンタクト（２５７）の位置にある切欠き（２４７）を有し、前記コンタクト（２３４）は、前記コンタクトの変位方向に互いにオフセットした２個の肩（２４１、２４３）を有し、前記肩は前記短絡バーに当接し、前記接地コンタクトが前記信号コンタクトを超えて延びるように切欠きを設け、それにより前記信号コンタクト（２５９）は第１肩（２４１）が前記短絡バーに当接し、前記接地コンタクトは第２肩（２４３）が前記短絡バーに当接することを特徴とする請求項１１記載の携帯電話接続システム。
【発明の詳細な説明】
【技術分野】
本発明は、携帯電話用の接続システムに関し、特に携帯電話へのデータ、電力、及び他のアクセサリの接続を可能とするコネクタシステムに関する。
【背景技術】
声の伝送、コンピュータ、ファクス、及び他のデータ用のメディアとして携帯電話の使用の要求が増大している。携帯電話に取り付けられる部品を小さくすることについて強い要求があり、特に相互接続システムについて強い要求がある一方で特にコンピュータ化されたデータの伝送、或いは受信に関し外部機器との高信頼性の接続が必要とされている。更に、システムは小型で信頼性があるだけではなく、安価でなければならないが、それはこのような大量生産の消費財については特に重要である。更に、携帯電話がホルダ、或いは受け台に置かれているとき、或いはホルダから離れている時、データ、電力、及び他の用途に接続できる携帯電話接続システムを有することが望ましい。言い換えれば、コネクタシステムは可能ならば、ホルダに携帯電話を単に置くだけで迅速、且つ信頼性のある接続ができ、或いは、携帯電話がホルダから離れているときはケーブルコネクタに差し込んで迅速、且つ信頼性のある接続ができなければならない。電話が移動でき、及び接続回数が多いために、接続システムは堅固で外部の損傷から十分に保護されることも重要である。
【発明の開示】
従って、本発明の目的は、小型、堅固、且つ多用途の携帯電話接続システムを提供することである。
更に本発明の目的は、電力、及びデータ関連装置の如き複数の異なる装置用に接続するための小型の安価な携帯電話接続装置を提供することである。
本発明の目的は、絶縁ハウジングとその中に並置して配置された複数の同様なストリップコンタクトを有する、携帯電話に組み付けるための電話内コネクタを含む携帯電話接続システムを提供することにより達成される。このコンタクトはエッジコンタクトを受容するための頂部接触面と、プリント（ＰＣＢ）板と接触するための接触部を有し、コネクタは、電力、データ、及び信号用コンタクトを有し、接続システムは、更に電話内コネクタと嵌合するための相補形のコネクタを有する。この相補形のコネクタの一つは、ハウジングに取り付けられ弾性的に変位可能なコンタクトを有するクレードルコネクタであり、このコンタクトは、非常に柔軟な蛇行したばね部を有し、長い移動距離を可能にしてコネクタの位置の公差を補償すると共に損傷からコンタクトを保護することもしている。クレードルコンタクトは略平坦な金属板から打ち抜かれ、電話内コネクタの相手方ストリップコンタクトと接触する接触部は、横に曲げようとする力に対して剛性を増大するためにそれらの長さに沿ってエンボスが形成されるのが有効である。クレードルコネクタは、電話内コネクタに係止されるためのラッチを設けることが有効であり、このラッチはクレードルコンタクトの先端を越えて伸び、その保護を確実にする。クレードルコンタクトは、クレードルコネクタハウジング内で、柔軟性があるためにばね部に損傷を受けることなく十分に変位されて、たとえ外部の物体がコンタクトへ衝突してもそれらは過応力によって損傷を受けることがないという効果を有する。更に、ラッチ手段は異なるプラグと異なるラッチ位置でラッチ係合するために電話内コネクタの複数のラッチ位置の位置決めにより、充電プラグ、或いは電話内コネクタとは別体の信号用コネクタの如き他の相補形コネクタのプラグ挿入を可能とする利点がある。これは、携帯電話が受け台、又はホルダステーションから離れているときに、別体の信号用、或いはバッテリー充電プラグを携帯電話に接続するのに有用である。一実施形態においては、電話内コネクタハウジングは、異なる用途用に異なるコネクタを受容するための複数の個別の室をそこ中に有してもよく、この室は、そこを横切って位置する複数の並置された略同じストリップコンタクトを有する中央支持部材によって横断されている。このコンタクトは、頂部接触面、及び頂部表面の端部から略直交して延びる側部接触面を有する。データコネクタのばね付勢されたコンタクトは、このように相手方コンタクトの頂面に対し当接してそれと接続することができるが、一方、電力用コネクタのフォーク形コンタクトは、相手方コンタクトの側面に接触してデータ、電力、或いは他の用途を電話内コンタクトへ同時に接続することをを可能にしている。
電話内コンタクトは接触用の頂壁及び側壁を有する複数の略同じターミナルを有する構造であるため、安価な接続システムが提供されるにも係わらずそこへ接続されるべき相当異なるコンタクト要件を有するコネクタを許容する。例えば、高電流の電力用コンタクトは側面に高い接触圧を加えることができるが、高電流を必要としないデータ用コンタクトは、電話内コンタクトの頂面に単に変位されているだけであり、これによって比較的低嵌合力で迅速、且つ信頼性のある接続を可能としている。更に、電話内コネクタは、電話を単に置くだけでクレードルコネクタに接続することができる。
電話内コネクタへのデータコネクタの正しい極性を確実にするために、電話内データコネクタ受容室は、データコネクタの側壁の長さに適合する異なる長さの対向する側壁を設けて確実に正しく方向付けをしてもよい。データコンタクトを保護するためにデータコンタクトの先端の上方に、或いは越えて延びるデータコネクタの側壁は、並置したデータコンタクトの列のいずれの側に設けてもよい。データコネクタの側壁には、データコンタクトの先端近傍の端部にラッチフック部材を設けることができ、側壁は弾性的に内側に変位可能であり電話内コネクタの側壁の肩と係合するラッチ部材として作用する。データコネクタは、ラッチ機構を解放するためにいずれかの側で把持（即ち、側壁に対し押圧）するのみで、電話内コネクタに迅速に差し込み、取り外しができる。
電話内コネクタ用コンタクトは、略一定幅の薄い金属ストリップから形成され、隣接する間隔を狭くし非常にコンパクトな配列で取り付けることができる。
他の実施形態では電話内コネクタのみが頂面を有し、クレードルコネクタは複数の同様な柔軟な略平板状のばねコンタクトを有するが、いずれも電力及びデータ用である。後者の接続システムは、非常に安価であり、また非常に簡単且つ信頼性のあるコネクタの接続を可能としている。後者の実施形態ではラッチ手段は、また案内手段でもあり極性を有し、特に信号用又は電力用コネクタの如き外部のコネクタの正確な方向付けを確実にしている。
電話内コネクタの接続部は、有利な実施形態では、コネクタのプリント板受容スロット内に逆に折り曲げられて電話用プリント板の端縁に沿う回路トレースに対し弾性的に変位する弾性接触ビームを有する。コネクタはこのように、電話内のプリント板の端縁に挿入されて、プリント板内に占める面積が最小になるようにしている。後者は、小型化及び携帯電話の部品点数の増大により重要であり、部品は可能な限り占有面積を最小にすべきである。
【発明を実施するための形態】
以下、本発明の実施形態について添付図を参照して詳細に説明する。
最初に図１乃至図３を参照すると、携帯電話接続システムは、携帯電話に組付けられる、特に携帯電話のプリント板に接続される電話内コネクタ２を有する。電話内コネクタ２は、夫々電力用、データ用、及びオーディオ用コネクタを受容して接続するための複数の室６、８、１０を有する絶縁ハウジング４を含む。室６、８、１０の中央を横切って延びるのは、ハウジング４の基壁１４から頂壁１６へ延びるコンタクト中央支持バー１２であり、このコンタクト支持バー１２は、ハウジング４の嵌合端１８の下にある。ストリップ状に打ち抜き折り曲げされたコンタクトは、頂壁２１及び側部接触壁２２（図１６参照）を有し中央支持バー１２を横切って位置し、Ｕ字状にその周りに折り曲げられる。コンタクト２０は、底壁１４を通って一つの側壁２２からハウジング４のプリント板受容端２４の方へ延びている延長部を有し、この延長部は接触部２１、２２の方へ逆に上方へ折り曲げられて接触部２６を形成する。接触部２６は、プリント板受容端２４から延びるスロット２８から離隔している。携帯電話のプリント板は、このようにしてスロット２８に挿入されて、接触部２６はその回路トレースに対し弾性的に変位されて、コンタクトとプリント板が相互接続される。コンタクト２０は、略一定幅の金属ストリップ形状であるので、互いに近接して並置し非常に小型の配列にすることができる。
ハウジング４の室６、８、１０は、中央支持バー１２へ平行に延び、端部が端壁３２によって連結された、ハウジング４の側壁３０によって形成され、それにより隣接する室は、ハウジング室内で側壁３０から延びる壁３４によって部分的に仕切られている。
データプラグ室８は、側壁３０の内側に沿って嵌合面３２近傍に延びるラッチ肩３６、３８を含み、一つのラッチ肩３６は、データプラグの極性付けの為の他のラッチ肩３８より長い。後者によってデータプラグが、電話内コネクタのデータコンタクトに確実、且つ正確に接続される。
図４乃至図７、及び図１６を参照すると、データプラグ４０は、絶縁ハウジング４２、及びこの絶縁ハウジング４２内のキャビティ４６に取り付けられた複数のデータコンタクト４４を有する。コンタクト４４は、相互に連結する複数のＵ曲げ部を形成した非常に柔軟なばね部４８を有する略平坦な打ち抜かれた金属板、及びハウジング４２の嵌合面壁５４を通るスロット５２を通過して突出する接触部５０を含む。接触部５０は、嵌合面５４を超えて突出する湾曲した接触端５２を有し、コンタクトのばね部は接触端を嵌合面５４の下に変位させるのに十分な柔軟性を有している。これらのコンタクトは、公差を大きく吸収することを可能にする一方で、相手方コンタクトに対し、略一定の接触圧を維持している。
並置したコンタクト４４の列の各側に接しているのは、ハウジング４２から一体に延びる自由端６４を有する弾性ラッチ部材５８、６０であり、自由端６４は上方に延びコンタクト４４の先端を僅かに越えてコンタクト４４を保護する。ラッチアーム５８は、それらの自由端に電話内コネクタハウジングのラッチ肩３８と係合してデータコネクタを電話内コネクタに確実に保持するフック部材６６を含む。データコネクタは、その各側を保持して弾性ラッチ部材５８、６０を押圧することにより電話内コネクタから簡単に抜去できる。対向するラッチ部材６６、６４は、夫々ラッチ肩３６、３８の長さに等しい異なる長さを有し、電話内コネクタに対するデータコネクタの正しい極性付けを確実にしている。データプラグが電話内コネクタ２にラッチ止めされると、電話内コンタクト２０の頂面２１に対しコンタクト端５２が変位される。データコネクタコンタクトが柔軟であり、それらが保護され、及び電話内コネクタの頂面２１が形成されていることにより、電話内コネクタは、図１１に示すごとくデータコネクタのデータコンタクト４４に非常に似ているデータコンタクトを有するクレードルコネクタ８０に簡単に押し込むことができる。後者により信頼性のある、簡単な接続が行われる。
図１５、及び図８乃至図１０を参照すると、オーディオコネクタ１００は、絶縁ハウジング１０２、及びこのハウジング１０２のキャビティ１０６内に位置し、並置された複数の板状フォーク形コンタクト１０４を有する。フォーク形コンタクト１０４は、基部１０８、及びそこからハウジング１０２の嵌合面１１２へ延びる片持状の一対の離隔した接触アーム１１０を有する。弾性接触アーム１１０は、電話内コンタクトの側壁２２と接触するそれらの自由端１１６近傍にある接触突起１１４を有する。それが打ち抜かれた金属板の平面内で接触アームが弾性的に曲げられているために、比較的高い弾性力を有し相手方コンタクトの側壁２２に対し高い接触圧を付与する。
図９及び図１０を参照すると、電力用コネクタは図８及び図８ａのオーディオコネクタと極めて類似の手法で構成されているが、電源用コンタクトに高い電圧が加わるため絶縁壁１２０によって分離された２個のフォーク形コンタクトのみがあり、これにより電力用コンタクト間に漏電、或いはスパークが生じることが阻止される。
図１７乃至図２９を参照して、携帯電話接続システムの第２実施形態について説明する。最初に図１７乃至図２１を参照して、電話内コネクタ２０２は携帯電話のプリント板２０５の端縁２０３に、電話の電力とデータの機能を接続するために組付けるためのものである。電話内コネクタ２０２は絶縁ハウジング２０４及び複数の打ち抜き形成されたコンタクト２０６を有する。コンタクト２０６は相補形コネクタ、或いは携帯電話接続システムのコネクタと嵌合する為の接触部２０８、及びプリント板の端縁２０３に沿う回路トレース２１１に対し弾性的に変位するプリント板接続部２１０を含む。
コンタクト２０６は、略一定の幅Ｗの金属ストリップ内に並置して打ち抜き折り曲げされる。接触部２０８は、接触パッド２１２を形成する実質的に平坦な頂面であり、相手方コンタクトがそれに対し単に変位される。パッド２１２は、ハウジングの凹部２１４内に位置し、外部の物体に対する幾分かの保護となっている。コンタクト２１２は、壁部２１６によって互いに仕切られ、外部の物体に対する更なる保護、及び隣接するコンタクト間及び外部の物体間の電気的な抵抗となっている。コネクタハウジング２０４には、コンタクト２０６をその中に受容するために個別のスロット２１８が設けられており、コンタクトの幅とスロット２１８の間に締まり嵌めがなされてコンタクトはその中に保持される。プリント板接続部２１０には、逆向きに折り曲げられ、プリント板の端縁２２３を受容するキャビティ２２４内に変位された接触凸部２２２を有する片持ち梁の接触アーム２２０が設けられる。コネクタ２０２が、プリント板２０５の端縁上に位置し、弾性コンタクトが逆向きに折り曲げられて端縁に近接して位置する為に、コネクタはプリント板２０５に非常に短くかつ最小の面積で接続される。これにより、非常に小型となり、プリント板上の面積はわずかで良い。
コネクタ２０２には、相補形コネクタの相補形のラッチ部材を受容するためのキャビティ２２６、２２８が形成されている。ラッチ部材２２６、２２８は、コネクタの端部ではなく、コンタクト２０６間に位置しており、オーディオ、データの如き別体のプラグ、或いは電力用プラグを電話内コネクタの一方のラッチ部材２２６、或いは他方のラッチ部材２２８、或いはクレードルコネクタの場合両方に接続することができ、これにより種々のコネクタシステムが電話内コネクタ２０２に接続可能となる。電話がそのホルダ、或いは受け台から離れていた場合、電力用プラグ、及び信号用プラグを、例えば隣接して、夫々ラッチ部材２２６、及びラッチ部材２２８へ確実にラッチ係合して同時に接続することができる。
図２２乃至図２６を参照すると、携帯電話接続システムは、携帯電話が受容されるベースステーション、受け台、或いはホルダのプリント板２２１に取り付けるためのクレゾールコネクタ２３０を含む。このホルダ、或いは受け台は、例えば自動車内に設けられても良く、また電話に電力、データ信号及び他の機能を供給しても良い。クレードルコネクタ２３０は、絶縁ハウジング２３２、及び金属板から打ち抜き成型され並置された、電話内コネクタのコンタクト２０６と接触する複数の略平板状のコンタクト２３４を有する。コンタクト２３４は、第一実施形態のデータ用コンタクト４４と構成が同様であり、電力用プラグコネクタのコンタクトの図２９に示したのと同じ非常に柔軟な曲がりくねったばね部２３６、及びコネクタハウジングの頂壁２４２を通過して延びるキャビティ２４０を通過して突出する接触部２３８を有する。
クレードルコネクタ２３０では、接地用コンタクトの如きある種のコンタクトの先端２５７は、信号用コンタクトの先端２５９を超えて延び、最初に接地接続し、最後に接地接続を解除して静電気による放電を小さくし、或いは阻止している。
クレードルコネクタ２３０は、ハウジングの頂壁２４２の隅部に取り付けられた短絡バー２３５を更に有する。各接触部２３８は、その下側を横に延びる延長部２３９を有する。この延長部２３９は、第１肩２４１、及びそこから段差となり自由端２４５（図２５ｄ参照）へ延びる第２肩２４３を有する。短絡バー２３５は、接地コンタクト２５７に整列して位置決めされた切欠き（凹み）２４７を設けた金属板である。下側のコンタクト２５９の第１肩２４１は、接地ストリップ２３５に当接し、これにより切欠き２４７を形成しているので、接地コンタクト２５７は、その第２肩２４３で短絡バー２３５と当接して、最初に接触し最後に接触を解除する為に更に上方に延びるコンタクトを得ている。全てのコンタクト２５７、２５９はこのように同様な手法で製造することができ、非常に簡単な短絡バーには一定の間隔で切欠きを設けるだけで良く、製造方法及び組み立てを非常に安価にしている。短絡バー２３５は、ハウジングの全長を超えて連続したストリップとして延び、複数のクレードルコネクタ２３０をまとめて連結して取り扱い或いは運搬するのに用いられ、次に短絡バーを剪断し、そこに取り付けられたコネクタが切り離される。
コンタクト２３４は、その基部２２９が取り付けられている別体の絶縁ベース２３１を設けてクレードルコネクタハウジング２３２に組み付ける事が出来る。絶縁ベース２３１には立壁２２７を設けてコンタクトのばね部２３６を分離し、案内し、支持することができる。絶縁ベース２３１及びコンタクト２３４は、ハウジング２３２の取り付け面から挿入され、ラッチ手段或いは他の手段により確実にそこへ固定される。ハウジング２３２の取り付け面２２３に近い側壁を貫通するキャビティ２２５は、コンタクトの基部２２９の延長部を受容して、基部をハウジング内に確実に固定する。ハウジングは簡単かつ安価に組み立てられる。
図２７乃至図２９には、クレードルコネクタ２３０のコンタクト２３４と同様な、バネ端接触部を有する電力用プラグ２３３が示されている。接触部２３８は、キャビティ２４０内で十分変位され、かつ多数の曲がりくねった形状による非常に柔軟なばねのおかげで、コンタクトへの過応力、あるいは損傷の虞れはない。接触部２３８の横の曲げ強度は、接触部に凸部２５０をエンボス加工することによって増大する。接触部がキャビティ２４０内に完全に受容可能であることに加えてこの構成によってコネクタの強度は相当増大し、これにより、コンタクトに衝突する可能性の或る外部の物体から保護される。更に、コンタクト２３４が略平板状であることと、コネクタ２３０、及びプラグコネクタ２３３の如き他のコネクタのコンタクトと同じものを使用していることにより、小型、且つ安価な設計が達成される。
クレードルコネクタ２３０には、電話内コネクタ２０２のラッチキャビティ２２６、２２８内に夫々受容されるラッチ２５４、２５６が形成されている。プラグコネクタ２３３には、電話内コネクタ２０２のラッチキャビティ２６６の一つに受容される同様なラッチ２５８が設けられる。ラッチ２５４、２５６、２５８は、最も外側のコンタクトの先端２５７を超えて十分に延びているので、コンタクトの保護手段となり、且つ相手方のコンタクトと接触する前に確実に嵌合中のコネクタが正しく位置決めされ、案内される。ラッチ２５４、２５６、２５８は、電話内コネクタキャビティ２２６の極性付け凹部２６２と相補形の極性付け突起２６０（図２７参照）を有し、プラグコネクタ２３３、及び携帯電話システムの他のコネクタが電話内コネクタに確実に正しく方向付けされる。
図２７乃至図２９を参照して、電力用プラグ２３３は、絶縁体突き刺し（ピアシング）接続部２７０を有し、この接続部２７０は、ばね部２３６から延びハウジング２６８の端壁２７４を通って延びるキャビティ２７２を通過して受容される電力ケーブルを突き刺す。スタッファキャップ２７６は横断キャビティ２７８内に受容され案内されてケーブルをピアシングコンタクト２８０上へ押圧してケーブルの内部導体と接続する。
図３０ａ及び図３０ｂを参照すると、クレードルコネクタ２３０は、図３０ａに示す如く垂直に取り付けられてコンタクト２３４の接続部２７１がプリント板２２１の貫通孔内に取り付けられるか、或いは図３０ｂに示すごとくコネクタは直交して取り付けられる。図３０ｂのコネクタの方向は、接続部２７１がプリント板２２１の回路パッド上に配置されてその上に引き続き半田付けされるような方向であり、クレードルコネクタの端壁２７５には肩２７３が形成されて、ハウジングをプリント板の平面に対し正しく位置決めすると共に位置合わせしている。
図３１ａ及び図３１ｂを参照すると、クレードルコネクタ２３０'の代替実施形態が示されている。クレードルコネクタ２３０'は、前述のクレードルコネクタ２３０と極めて類似しているが若干の相違があり、これについては絶縁ベース２３１'に関して説明する。ベース２３１'は、図３１ｂに示すごとくプリント板２２１に当接する斜面２２３'を有し、この斜面２２３'はプリント板の平面に関してコネクタが鋭角に延長されて形成される。コンタクト２３４'のベース２２９'は、取り付け面２２３'へ位置合わせし、且つ平行な部分２８２を有する延長部２８０を設けて、これをプリント板２２１の回路トレースへ当接させて接続することができる。ベース２３１'はプリント板のキャビティ２８６内に垂直位置に挿入される鉤部２８４を有し、これによりコネクタ２３０は、取り付け面２２３'がプリント板に対し当接するまで回転させることができ、鉤部２８４は、プリント板の穴２８６のコーナー２９０に対し延長部２８８を係合させてプリント板にベース２３１を錠止する。組み立て容易でありながらプリント板へコネクタを堅固に取り付け可能にしている。第１実施形態のコンタクト２３４に対し、コンタクト２３４'は僅かに変更が加えられ、また前述の実施形態のハウジングと同様なハウジング２３２'を使用しているが、単に異なるベース２３１'を用いることにより図３０ａに示すごとく垂直か、図３０ｂに示すごとく水平か、或いは図３１ｂに示すごとく傾斜した種々の異なる角度で取り付けられる安価なコネクタ２３０、２３０'を提供している。
従って、携帯電話用の非常に小型の接続システムが提供されることが利点となり、この接続システムは容易に、迅速に接続される(例えば、電話がベースステーションのコネクタ上に置かれる)非常に小型に配列された高低両電力接続用に供給される。後者は更に非常に安価な方法でなされる。
【図面の簡単な説明】
【図１】第一実施形態の電話内コネクタの斜視図である。
【図２】図１のコネクタの平面図である。
【図３】図２の矢印３方向の図である。
【図４】第一実施形態のデータコネクタの斜視図である。
【図５】図４のコネクタの嵌合面の図である。
【図６】図５の矢印６方向の図である。
【図７】図５の矢印７方向の図である。
【図８】第１実施形態のオーディオプラグの斜視図である。
【図８ａ】オーディオプラグの嵌合面の図である。
【図９】第１実施形態の電力用プラグの斜視図である。
【図１０】図９の電力用プラグの嵌合面の図である。
【図１１】第１実施形態のクレードルコネクタの斜視図である。
【図１２】図１１のコネクタの嵌合面の図である。
【図１３】図１２の矢印１３方向の図である。
【図１４】図１２の矢印１４方向の図である。
【図１５】第１実施形態の電話内コネクタに嵌合されたオーディオプラグの断面した斜視図である。
【図１６】第１実施形態の電話内コネクタに接続されたデータプラグの断面した３次元斜視図である。
【図１７】電話内コネクタの第２実施形態の嵌合面の斜視図である。
【図１８】図１７の矢印１８方向の図である。
【図１９】図１７の矢印１９方向の図である。
【図２０】図１７の２０−２０線に沿う断面図である。
【図２１】図１７乃至図２０のコネクタへ接続されるプリント板の部分である。
【図２２】図１７乃至図２０の電話内コネクタに嵌合するクレードルコネクタの第２実施形態の平面図である。
【図２３】図２２の矢印２３方向の図である。
【図２４】図２２の矢印２４方向の図である。
【図２５ａ】図２２の矢印２５ａ方向の図である。
【図２５ｂ】図２２の線２５ｂに沿う断面図である。
【図２５ｃ】図２２の線２５ｃに沿う断面図である。
【図２５ｄ】図２２のコネクタのコンタクト及びショーティングバーの斜視図である。
【図２６】図２２乃至図２５のクレードルコネクタへ接続されるプリント板の部分である。
【図２７】図１８乃至図２０の電話内コネクタに接続される別体の電力用プラグの斜視図である。
【図２８】図２７のプラグの嵌合面の図である。
【図２９】図２８の２９−２９線に沿う断面図である。
【図３０ａ】プリント板へ取り付けられた、図２２のクレードルコネクタの側面図である。
【図３０ｂ】プリント板へ図３０ａの方向とは異なる方向に取り付けられた、図２２のクレードルコネクタの側面図である。
【図３１ａ】プリント板へ傾斜して取り付けられる他の実施形態のクレードルコネクタの断面図である。
【図３１ｂ】プリント板へ傾斜して取り付けられる他の実施形態のクレードルコネクタの断面図である。
【図１】
0003746515.tif 000002
【図２】
0003746515.tif 000003
【図３】
0003746515.tif 000004
【図４】
0003746515.tif 000005
【図５】
0003746515.tif 000006
【図６】
0003746515.tif 000007
【図７】
0003746515.tif 000008
【図８】
0003746515.tif 000009
【図８Ａ】
0003746515.tif 000010
【図９】
0003746515.tif 000011
【図１０】
0003746515.tif 000012
【図１１】
0003746515.tif 000013
【図１２】
0003746515.tif 000014
【図１３】
0003746515.tif 000015
【図１４】
0003746515.tif 000016
【図１５】
0003746515.tif 000017
【図１６】
0003746515.tif 000018
【図１７】
0003746515.tif 000019
【図１８】
0003746515.tif 000020
【図１９】
0003746515.tif 000021
【図２０】
0003746515.tif 000022
【図２１】
0003746515.tif 000023
【図２２】
0003746515.tif 000024
【図２３】
0003746515.tif 000025
【図２４】
0003746515.tif 000026
【図２５ａ】
0003746515.tif 000027
【図２５ｂ】
0003746515.tif 000028
【図２５ｃ】
0003746515.tif 000029
【図２５ｄ】
0003746515.tif 000030
【図２６】
0003746515.tif 000031
【図２７】
0003746515.tif 000032
【図２８】
0003746515.tif 000033
【図２９】
0003746515.tif 000034
【図３０ａ】
0003746515.tif 000035
【図３０ｂ】
0003746515.tif 000036
【図３１ａ】
0003746515.tif 000037
【図３１ｂ】
0003746515.tif 000038